(57)【要約】【課題】光源駆動部を制御する光源制御部が誤動作等を起こした場合でも、光源駆動部に正常な動作を行わせることが可能なプロジェクタ及びその制御方法を提供する。【解決手段】プロジェクタ１は、光源駆動部３１が行う動作のうち、ＵＡＲＴ通信により光源制御部３２を介して制御される動作の一部（例えば、上述した発光輝度の切り替えや点灯状態の検知等）については、ＵＡＲＴ通信に異常が生じた場合や、光源制御部３２の誤動作等によって正常な制御ができない事態が生じた場合に、ＧＰＩＯ２０ｄからの直接制御に切り替えることが可能になっている。このため、ＧＰＩＯ２０ｄの出力ポートには、発光輝度の切り替えや点灯状態の検知を光源駆動部３１に指示するための接続がなされており、ＧＰＩＯ２０ｄの入力ポートには、光源駆動部３１から制御結果（検知結果）に応じた応答を入力するための接続がなされている。【選択図】図３
2010134144.tif 000002
【特許請求の範囲】
【請求項１】
光源から射出された光を変調して投写するプロジェクタであって、
前記光源を駆動する光源駆動部、及び前記光源駆動部の動作を制御する光源制御部を有する光源駆動装置と、
前記光源制御部に接続された第１の通信部、及び前記光源駆動部に接続された第２の通信部を有し、前記第１の通信部から制御コマンドを出力して、前記光源制御部に前記光源駆動部の動作を制御させる制御部と、
を備え、
前記光源制御部は、前記制御コマンドに基づいて前記光源駆動部の動作を制御するとともに、制御結果に応じた応答を前記制御部に出力し、
前記制御部は、前記応答に基づいて、前記制御コマンドに基づく制御が正常になされたか否かを判断し、当該制御が正常になされなかった場合には、前記第２の通信部から制御情報を出力して前記光源駆動部を直接制御することを特徴とするプロジェクタ。
【請求項２】
請求項１に記載のプロジェクタであって、
前記制御コマンドに基づく制御が正常になされなかった場合に異常の発生を報知する報知部をさらに備えたことを特徴とするプロジェクタ。
【請求項３】
請求項１又は２に記載のプロジェクタであって、
前記光源駆動部は、前記制御部により直接制御された場合に、制御結果に応じた応答を前記制御部に出力することを特徴とするプロジェクタ。
【請求項４】
請求項１〜３のいずれか１項に記載のプロジェクタであって、
前記第１の通信部と前記光源制御部との間の通信は、シリアル通信であることを特徴とするプロジェクタ。
【請求項５】
光源から射出された光を変調して投写する画像投写部と、前記光源を駆動する光源駆動部と、前記光源駆動部の動作を制御する光源制御部とを有するプロジェクタの制御方法であって、
前記光源制御部に制御コマンドを出力して、前記光源駆動部の動作を前記制御コマンドに基づいて制御させるコマンド発行ステップと、
前記光源制御部から制御結果に応じた応答を取得する応答取得ステップと、
前記応答に基づいて、前記制御コマンドに基づく制御が正常になされたか否かを判断する判断ステップと、
前記制御コマンドに基づく制御が正常になされなかった場合に、前記光源駆動部に対して制御情報を出力し、前記光源駆動部を直接制御する直接制御ステップと、
を備えたことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
光源から射出された光を変調して画像を形成し、この画像をスクリーン等に投写するプロジェクタにおいて、光源を駆動する光源駆動装置（放電ランプ点灯装置）にマイコン（演算処理回路）を搭載したものが種々提案されている（例えば、特許文献１参照）。このようなプロジェクタによれば、プロジェクタの主たる制御装置は、光源駆動装置のマイコンと通信を行うことにより、光源に対して様々な制御を行ったり、光源駆動装置から各種情報を高精度に取得したりすることが可能となる。
【０００３】
【特許文献１】特開２００５−２４３３８１号公報
【発明の開示】
【発明が解決しようとする課題】
【０００４】
しかしながら、上記のような構成のプロジェクタでは、外来のノイズ等の影響によって、制御装置とマイコンとの通信が正常に行われなかったり、マイコンが予期せぬ誤動作を起こしたりした場合に、光源駆動装置を正常に制御できなくなる恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源から射出された光を変調して投写するプロジェクタであって、前記光源を駆動する光源駆動部、及び前記光源駆動部の動作を制御する光源制御部を有する光源駆動装置と、前記光源制御部に接続された第１の通信部、及び前記光源駆動部に接続された第２の通信部を有し、前記第１の通信部から制御コマンドを出力して、前記光源制御部に前記光源駆動部の動作を制御させる制御部と、を備え、前記光源制御部は、前記制御コマンドに基づいて前記光源駆動部の動作を制御するとともに、制御結果に応じた応答を前記制御部に出力し、前記制御部は、前記応答に基づいて、前記制御コマンドに基づく制御が正常になされたか否かを判断し、当該制御が正常になされなかった場合には、前記第２の通信部から制御情報を出力して前記光源駆動部を直接制御することを特徴とする。
【０００７】
このプロジェクタによれば、光源駆動部の制御に関して、制御部は、第１の通信部から出力した制御コマンドに基づく制御、即ち光源制御部を介在させた制御が正常になされなかった場合に、第２の通信部から制御情報を出力して光源駆動部を直接制御するため、制御部と光源制御部との通信に異常が生じた場合や、光源制御部が誤動作を起こした場合等でも、光源駆動部に正常な動作を行わせることが可能となる。
【０００８】
［適用例２］上記適用例に係るプロジェクタにおいて、前記制御コマンドに基づく制御が正常になされなかった場合に異常の発生を報知する報知部をさらに備えることが望ましい。
【０００９】
このプロジェクタによれば、制御コマンドに基づく制御が正常になされなかった場合に、報知部が異常の発生を報知するため、プロジェクタに異常が発生したこと（制御コマンドに基づく制御が正常になされなかったこと）をユーザに認識させることが可能となる。
【００１０】
［適用例３］上記適用例に係るプロジェクタにおいて、前記光源駆動部は、前記制御部により直接制御された場合に、制御結果に応じた応答を前記制御部に出力することが望ましい。
【００１１】
このプロジェクタによれば、光源駆動部が、制御部により直接制御された場合に、その制御結果に応じた応答を制御部に出力するため、制御部は、直接制御が正常になされたか否かを判断することが可能となり、その制御結果に応じて異なる動作を行うことが可能となる。例えば、直接制御が正常になされた場合と正常になされなかった場合とで、ユーザに報知するメッセージの内容を変えたり、直接制御が正常になされなかった場合にのみプロジェクタの動作を停止させたりすることができる。
【００１２】
［適用例４］上記適用例に係るプロジェクタにおいて、前記第１の通信部と前記光源制御部との間の通信は、シリアル通信であることが望ましい。
【００１３】
このプロジェクタによれば、制御部と光源制御部との通信がシリアル通信であるため、制御部と光源制御部との間に多数の配線を施すことなく、光源に対して様々な制御を行ったり、検出結果等を高精度に取得したりすることが可能となる。
【００１４】
［適用例５］本適用例に係るプロジェクタの制御方法は、光源から射出された光を変調して投写する画像投写部と、前記光源を駆動する光源駆動部と、前記光源駆動部の動作を制御する光源制御部とを有するプロジェクタの制御方法であって、前記光源制御部に制御コマンドを出力して、前記光源駆動部の動作を前記制御コマンドに基づいて制御させるコマンド発行ステップと、前記光源制御部から制御結果に応じた応答を取得する応答取得ステップと、前記応答に基づいて、前記制御コマンドに基づく制御が正常になされたか否かを判断する判断ステップと、前記制御コマンドに基づく制御が正常になされなかった場合に、前記光源駆動部に対して制御情報を出力し、前記光源駆動部を直接制御する直接制御ステップと、を備えたことを特徴とする。
【００１５】
このプロジェクタの制御方法によれば、光源駆動部の制御に関して、制御コマンドに基づく制御、即ち光源制御部を介在させた制御が正常になされなかった場合に、光源駆動部を直接制御するため、光源制御部との通信（制御コマンドの出力や応答の取得）に異常が生じた場合や、光源制御部が誤動作を起こした場合等でも、光源駆動部に正常な動作を行わせることが可能となる。
【００１６】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、光源から射出された光を画像情報に応じて変調して画像を形成し、形成した画像を投写面に投写するプロジェクタについて説明する。
【００１８】
図１及び図２は、本実施形態のプロジェクタを示す斜視図であり、図１は、前方側から見た図、図２は、後方側から見た図である。
図１及び図２に示すように、プロジェクタ１は、装置本体が筐体２に収容された構成を有しており、筐体２の前面２ｆには、画像を投写する投写レンズ１３が露出している。筐体２の上面２ｔには、プロジェクタ１に対して各種指示を行うための入力操作部２２が備えられ、入力操作部２２の近傍には、プロジェクタ１の動作状態を報知するためのＬＥＤ表示部２３が備えられている。筐体２の背面２ｒには、商用電源が供給される電源端子２８と、図示しない外部の画像出力装置から画像情報が入力される画像情報入力部２４とが設けられている。画像情報入力部２４には、複数の入力端子２４ａが配置されており、各入力端子２４ａには、一端が画像出力装置に接続されたケーブルの他端が接続される。
【００１９】
図３は、プロジェクタの回路構成を示すブロック図である。
図３に示すように、プロジェクタ１は、画像投写部１０、制御部２０、記憶部２１、入力操作部２２、ＬＥＤ表示部２３、画像情報入力部２４、入力選択部２５、画像処理部２６、ＯＳＤ処理部２７、電源端子２８、電源回路２９、光源駆動装置３０等を備えて構成されている。
【００２０】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００２３】
制御部２０は、ＣＰＵ（Central Processing Unit）２０ａ、ＲＡＭ（Random Access Memory）２０ｂに加えて、ＵＡＲＴ（Universal Asynchronous Receiver Transmitter）２０ｃやＧＰＩＯ（General Purpose Input Output）２０ｄ等の各種インターフェイス回路を備えて構成されている。制御部２０は、記憶部２１に記憶されている制御プログラムに従って動作し、プロジェクタ１の各部とインターフェイス回路を介して通信を行いつつ、プロジェクタ１の動作を統括制御する。つまり、制御部２０は、記憶部２１とともにコンピュータとして機能する。なお、ＣＰＵ２０ａ、ＲＡＭ２０ｂ、インターフェイス回路（ＵＡＲＴ２０ｃ、ＧＰＩＯ２０ｄ）等を一体的に備えたマイクロプロセッサを制御部２０として用いることも可能である。
【００２４】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２５】
入力操作部２２は、ユーザからの入力操作を受け付けるものであり、ユーザがプロジェクタ１に対して各種指示を行うための複数の操作キーを備えている。入力操作部２２が備える操作キーとしては、電源のオン・オフを切り替えるための「電源キー」、有効な入力端子２４ａを切り替えるための「入力切替キー」、投写された画像上に設定メニュー画像を重畳して表示するための「メニューキー」等がある。ユーザが入力操作部２２の各種操作キーを操作すると、入力操作部２２は、この入力操作を受け付けて、ユーザの操作内容に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００２６】
ＬＥＤ表示部２３は、ＬＥＤ（発光ダイオード）を備えたインジケータであり、制御部２０の指示に基づいてその表示状態を切り替えることにより、ユーザにプロジェクタ１の動作状態（電源のオン・オフや異常発生等）を報知する。なお、ＬＥＤ表示部２３は、その表示状態、即ち点灯、点滅、消灯、発光色等を適宜切り替えることによって、多数の動作状態を表すことが可能になっている。
【００２７】
画像情報入力部２４は、上述したように複数の入力端子２４ａを備えており、各入力端子２４ａには、ビデオ再生装置やパーソナルコンピュータ等、外部の画像出力装置から出力される画像情報がケーブルを介して入力される。各入力端子２４ａに入力された画像情報は、入力選択部２５に供給される。
【００２８】
入力選択部２５は、複数の入力端子２４ａのうち、制御部２０の指示に基づく１つの入力端子２４ａを選択し、この入力端子２４ａに入力される画像情報を画像処理部２６に出力する。ユーザが、入力操作部２２に備わる入力切替キーを操作して所望の入力端子２４ａを指定すると、制御部２０は、この入力端子２４ａに入力される画像情報が画像処理部２６に出力されるよう、入力選択部２５に指示をする。
【００２９】
画像処理部２６は、入力選択部２５から入力される各種形式の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２６は、制御部２０の指示に基づき、変換した画像情報に対して、明るさ、コントラスト、シャープネス、色合い等を調整するための画質調整処理等を行い、処理後の画像情報をＯＳＤ処理部２７に出力する。
【００３０】
ＯＳＤ処理部２７は、制御部２０の指示に基づいて、投写すべき画像（投写画像）上に設定メニュー画像やメッセージ画像等のＯＳＤ（オンスクリーンディスプレイ）画像を重畳するための処理を行う。ＯＳＤ処理部２７は、図示しないＯＳＤメモリを備えており、ＯＳＤ画像を形成するための図形やフォント等を表す画像データを記憶している。制御部２０が、ＯＳＤ画像の重畳を指示すると、ＯＳＤ処理部２７は、必要な画像データをＯＳＤメモリから読み出して、指定されたＯＳＤ画像を形成するためのＯＳＤ画像情報を生成する。そして、投写画像上の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から入力される画像情報を、そのままライトバルブ駆動部１４に出力する。
【００３１】
ライトバルブ駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３２】
電源回路２９には、ＡＣ１００Ｖ等の商用電源が電源端子２８を介して外部から供給される。電源回路２９は、商用電源（交流電源）を所定の電圧の直流電源に変換して、プロジェクタ１の各部に電力を供給する。また、電源回路２９は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り替えることができる。
【００３３】
光源駆動装置３０は、光源１１を駆動する光源駆動部３１と、光源駆動部３１の動作を制御する光源制御部３２とを備えて構成されている。光源駆動部３１は、電源回路２９で生成された直流電流を交流矩形波電流に変換するインバータ（図示せず）や、光源ランプ１１ａの電極間の絶縁破壊を行って、光源ランプ１１ａの始動を促すためのイグナイタ（図示せず）等を備えており、光源１１を始動させて所定の電力を供給することにより光源１１を点灯させる。また、光源駆動部３１は、電力の供給を停止して光源１１を消灯させたり、供給する電力（波形）を調整して、光源１１の発光輝度を高輝度及び低輝度の２段階に切り替えたりすることができる。さらに、光源駆動部３１は、光源１１が消費する電流や光源１１に印加されている電圧等に基づいて、光源１１の点灯状態（点灯しているか否か）及び発光輝度を検知可能になっており、その検知結果を光源制御部３２に出力する。
【００３４】
光源制御部３２は、例えば、ＣＰＵ３２ａ等によって構成されるマイクロプロセッサであり、制御部２０のＵＡＲＴ２０ｃとの間でシリアル通信（ＵＡＲＴ通信）を行うためのインターフェイス回路（ＵＡＲＴ３２ｂ）を備えている。光源制御部３２は、制御部２０からＵＡＲＴ通信により入力される制御コマンドに基づいて光源駆動部３１の動作を制御するとともに、その制御結果に応じた応答データをＵＡＲＴ通信により制御部２０に出力する。
【００３５】
光源駆動部３１は、制御部２０のＧＰＩＯ２０ｄ、及び光源制御部３２の双方に接続されており、光源駆動部３１が行う動作のうち、一部の動作は制御部２０によって直接制御され、他の動作は光源制御部３２を介して制御される。例えば、光源１１の点灯及び消灯に関しては、制御部２０が光源駆動部３１を直接制御するようになっており、制御部２０は、ＧＰＩＯ２０ｄに備わる出力ポート（出力端子）を所定の電位状態に設定することによって光源駆動部３１に制御情報を出力し、光源駆動部３１に光源１１の点灯や消灯を指示することができる。
【００３６】
一方、光源１１の発光輝度の切り替えや点灯状態の検知は、光源制御部３２を介して制御される。例えば、ユーザが入力操作部２２に対して発光輝度を切り替えるための入力操作を行った場合には、制御部２０は、発光輝度の切り替えを指示するための制御コマンドをＵＡＲＴ通信によって光源制御部３２に出力する。光源制御部３２は、この制御コマンドが入力されると、光源駆動部３１に発光輝度の切り替え動作を行わせるとともに、発光輝度の切り替えが正常になされたか否かを判断するために光源駆動部３１に発光輝度を検知させ、その検知結果に応じた応答データをＵＡＲＴ通信によって制御部２０に出力する。
【００３７】
また、制御部２０が、点灯状態の検知を指示するための制御コマンドをＵＡＲＴ通信によって光源制御部３２に出力した場合には、光源制御部３２は、光源駆動部３１に点灯状態を検知させるとともに、その検知結果に応じた応答データを制御部２０に出力する。なお、図示は省略しているが、光源駆動部３１には、所定の部位の電圧、電流、温度等をモニタするための様々な検出手段が接続されており、制御部２０は、ＵＡＲＴ通信によって所定の制御コマンドを光源制御部３２に出力することにより、これらの検出結果を取得することも可能になっている。このように、ＵＡＲＴ通信により光源制御部３２を介して制御を行う場合には、ＧＰＩＯ２０ｄから直接制御する場合に比べて様々な制御が可能になるとともに、検出結果等を高精度に取得することができる。
【００３８】
ここで、本実施形態のプロジェクタ１は、光源駆動部３１が行う動作のうち、ＵＡＲＴ通信により光源制御部３２を介して制御される動作の一部（例えば、上述した発光輝度の切り替えや点灯状態の検知等）については、ＵＡＲＴ通信に異常が生じた場合や、光源制御部３２の誤動作等によって正常な制御ができない事態が生じた場合に、ＧＰＩＯ２０ｄからの直接制御に切り替えることが可能になっている。このため、ＧＰＩＯ２０ｄの出力ポートには、発光輝度の切り替えや点灯状態の検知を光源駆動部３１に指示するための接続がなされており、ＧＰＩＯ２０ｄの入力ポートには、光源駆動部３１から制御結果（検知結果）に応じた応答を入力するための接続がなされている。
【００３９】
図４は、光源駆動部３１を制御する際のプロジェクタ１の動作を説明するフローチャートである。例えば、ユーザが入力操作部２２のメニューキーを操作して設定メニュー画像を重畳表示させた後、所定の入力操作を行って発光輝度の切り替えを指示すると、制御部２０は、図４に示すフローに従って動作する。
【００４０】
図４に示すように、まず、ステップＳ１０１では、制御部２０は、発光輝度を切り替えるための制御コマンド（輝度切替コマンド）を、ＵＡＲＴ通信によって光源制御部３２に発行（出力）する。光源制御部３２は、制御部２０から輝度切替コマンドが入力されると、光源駆動部３１に発光輝度の切り替え動作を行わせ、その後、上述した応答データをＵＡＲＴ通信によって制御部２０に出力する。
【００４１】
ステップＳ１０２では、制御部２０は、光源制御部３２が出力した応答データを取得し、続くステップＳ１０３では、この応答データに基づいて、発行した制御コマンドに基づく動作、即ち発光輝度の切り替えが正常になされたか否かを判断する。そして、発光輝度の切り替えが正常になされた場合にはフローを終了し、発光輝度の切り替えが正常になされなかった場合、即ち発光輝度が切り替わっていないことを示す応答データを取得した場合や応答データ自体を取得できない場合には、ステップＳ１０４に移行する。
【００４２】
発光輝度の切り替えが正常になされずにステップＳ１０４に移行した場合には、制御部２０は、輝度切替コマンドを発行した回数が所定の回数に達したか否かを判断する。そして、所定の回数に達した場合にはステップＳ１０５に移行し、所定の回数に達していない場合には、ステップＳ１０１に戻って再び輝度切替コマンドを発行する。つまり、制御部２０は、発光輝度の切り替えが正常になされるまで光源制御部３２に対して輝度切替コマンドの発行を繰り返し、輝度切替コマンドの発行を所定の回数行っても発光輝度の切り替えが正常になされなかった場合にステップＳ１０５に移行する。なお、輝度切替コマンドを発行した回数は、例えば、制御部２０のＲＡＭ２０ｂに記憶され、制御部２０は、本フローを実行する際にこれを０にリセットし、ステップＳ１０１で輝度切替コマンドを発行するたびに１ずつインクリメントする。
【００４３】
輝度切替コマンドの発行を所定の回数繰り返しても発光輝度の切り替えが正常になされずにステップＳ１０５に移行した場合には、制御部２０は、ＧＰＩＯ２０ｄによる直接制御に切り替える。具体的には、制御部２０は、ＧＰＩＯ２０ｄの出力ポートを所定の電位状態に設定することにより、発光輝度の切り替えを指示するための制御情報（輝度切替要求）を光源駆動部３１に通知（出力）する。光源駆動部３１は、この輝度切替要求が入力されると、発光輝度の切り替え動作を実施するとともに、発光輝度が正常に切り替わったか否かを判断するために発光輝度の検知を行い、この検知結果を、応答情報として制御部２０のＧＰＩＯ２０ｄ（入力ポート）に出力する。
【００４４】
ステップＳ１０６では、制御部２０は、光源駆動部３１から出力された応答情報、即ち光源駆動部３１による発光輝度の検知結果を取得する。具体的には、制御部２０は、ＧＰＩＯ２０ｄの入力ポートの電位状態によって応答情報を認識する。
【００４５】
続くステップＳ１０７では、制御部２０は、この応答情報に基づいて、通知した制御情報に基づく動作、即ち発光輝度の切り替えが正常になされたか否かを判断する。そして、発光輝度の切り替えが正常になされた場合にはステップＳ１０８に移行し、正常になされなかった場合にはステップＳ１１０に移行する。
【００４６】
発光輝度の切り替えが正常になされてステップＳ１０８に移行した場合には、制御部２０は、ＵＡＲＴ通信による輝度切り替え制御が正常になされなかったことを報知するために、ＬＥＤ表示部２３を所定時間橙色で点滅させる。さらに、ステップＳ１０９では、制御部２０は、ＯＳＤ処理部２７に指示をしてメッセージ画像Ｍ１（図５参照）を所定時間重畳表示させることにより、プロジェクタ１に異常が生じた旨を報知して、フローを終了する。
【００４７】
一方、発光輝度の切り替えが正常になされずにステップＳ１１０に移行した場合には、制御部２０は、輝度切替要求を通知した回数が所定の回数に達したか否かを判断する。そして、所定の回数に達した場合にはステップＳ１１１に移行する。また、所定の回数に達していない場合には、ＧＰＩＯ２０ｄの出力ポートの電位状態をリセットした後、ステップＳ１０５に戻って再び輝度切替要求を通知する。つまり、制御部２０は、発光輝度の切り替えが正常になされるまで光源駆動部３１に対して輝度切替要求の通知を繰り返し、輝度切替要求の通知を所定の回数行っても発光輝度の切り替えが正常になされなかった場合にステップＳ１１１に移行する。なお、輝度切替要求を通知した回数は、例えば、制御部２０のＲＡＭ２０ｂに記憶され、制御部２０は、本フローを実行する際にこれを０にリセットし、ステップＳ１０５で輝度切替要求を通知するたびに１ずつインクリメントする。
【００４８】
輝度切替要求の通知を所定の回数繰り返しても発光輝度の切り替えが正常になされずにステップＳ１１１に移行した場合には、制御部２０は、ＵＡＲＴ通信及び直接制御の双方で発光輝度の切り替えが正常になされなかったことを報知するために、ＬＥＤ表示部２３を所定時間赤色で点滅させる。そして、ステップＳ１１２では、制御部２０は、ＯＳＤ処理部２７に指示をしてメッセージ画像Ｍ２（図６参照）を所定時間重畳表示させることにより、プロジェクタ１に異常が生じた旨と発光輝度の切り替え動作が正常にできなかった旨とを報知して、フローを終了する。
【００４９】
ユーザは、上記のようなメッセージ画像Ｍ１，Ｍ２が表示された後であっても、他に深刻な異常（高温異常等）が併発していない限り、プロジェクタ１の使用を継続することができる。そして、メッセージ画像Ｍ１，Ｍ２が頻繁に表示されるようになった場合に点検や修理を販売店等に依頼すればよい。
【００５０】
次に、光源駆動部３１に光源１１の点灯状態を検知させる際のプロジェクタ１の動作について説明する。
点灯状態の検知を行う際にも、制御部２０は、発光輝度を切り替える際と同様のフロー（図４参照）に従って動作する。点灯状態の検知は、例えば、制御部２０が光源駆動部３１を制御して光源１１を点灯させた後、正常に点灯したか否かを確認する際や、光源ランプ１１ａの寿命等による光源切れを確認する際等に実行される。
【００５１】
まず、制御部２０は、点灯状態を検知させるための制御コマンド（点灯検知コマンド）を、ＵＡＲＴ通信によって光源制御部３２に発行する（ステップＳ１０１）。光源制御部３２は、制御部２０から点灯検知コマンドが入力されると、光源駆動部３１に点灯状態の検知動作を行わせ、その後、検知結果に応じた応答データをＵＡＲＴ通信によって制御部２０に出力する。
【００５２】
次いで、制御部２０は、光源制御部３２から入力される応答データを取得し（ステップＳ１０２）、この応答データに基づいて、点灯状態の検知が正常になされたか否かを判断する（ステップＳ１０３）。例えば、光源１１が点灯又は消灯していることを示す応答データを取得した場合には、制御部２０は、点灯状態の検知が正常になされたものと判断し、それ以外の応答データを取得した場合や応答データを取得できない場合には、点灯状態の検知が正常になされなかったものと判断する。そして、点灯状態の検知が正常になされた場合にはフローを終了する。
【００５３】
一方、点灯検知コマンドを発行したにも拘わらず点灯状態の検知が正常になされなかった場合には、制御部２０は、点灯検知コマンドを発行した回数が所定の回数に達したか否かを判断し（ステップＳ１０４）、点灯状態の検知が正常になされるまで光源制御部３２に対して点灯検知コマンドの発行（ステップＳ１０１）を繰り返す。
【００５４】
点灯検知コマンドの発行を所定の回数行っても点灯状態の検知が正常になされなかった場合には、制御部２０は、ＧＰＩＯ２０ｄによる直接制御に切り替える。具体的には、制御部２０は、ＧＰＩＯ２０ｄの出力ポートを所定の電位状態に設定することにより、点灯状態の検知を指示するための制御情報（点灯検知要求）を光源駆動部３１に通知する（ステップＳ１０５）。光源駆動部３１は、この点灯検知要求が入力されると、点灯状態の検知動作を実施して、この検知結果を、応答情報として制御部２０のＧＰＩＯ２０ｄ（入力ポート）に出力する。
【００５５】
次いで、制御部２０は、光源駆動部３１が出力した応答情報、即ち光源駆動部３１による点灯状態の検知結果を取得し（ステップＳ１０６）、この応答情報に基づいて、点灯状態の検知が正常になされたか否かを判断する（ステップＳ１０７）。
【００５６】
そして、点灯状態の検知が正常になされた場合には、制御部２０は、ＵＡＲＴ通信による点灯状態の検知制御が正常になされなかったことを報知するために、ＬＥＤ表示部２３を所定時間橙色で点滅させる（ステップＳ１０８）。さらに、制御部２０は、ＯＳＤ処理部２７に指示をしてメッセージ画像Ｍ３（図７参照）を所定時間重畳表示させることにより、プロジェクタ１に異常が生じた旨を報知する（ステップＳ１０９）。
【００５７】
一方、点灯状態の検知が正常になされなかった場合には、制御部２０は、点灯検知要求を通知した回数が所定の回数に達したか否かを判断し（ステップＳ１１０）、点灯状態の検知が正常になされるまで光源駆動部３１に対して点灯検知要求の通知（ステップＳ１０５）を繰り返す。
【００５８】
そして、点灯検知要求の通知を所定の回数行っても点灯状態の検知が正常になされなかった場合には、制御部２０は、ＵＡＲＴ通信及び直接制御の双方で点灯状態の検知が正常になされなかったことを報知するために、ＬＥＤ表示部２３を所定時間赤色で点滅させる（ステップＳ１１１）。そして、ＯＳＤ処理部２７に指示をしてメッセージ画像Ｍ４（図８参照）を所定時間重畳表示させることにより、プロジェクタ１に異常が生じた旨と点灯状態の検知が正常にできなかった旨とを報知する（ステップＳ１１２）。なお、点灯状態の検知が正常になされなかった場合には、光源１１が点灯していない可能性もある。この場合には、ユーザは、メッセージ画像Ｍ４を視認することはできないが、ＬＥＤ表示部２３の表示状態によってプロジェクタ１の異常を認識することが可能である。
【００５９】
発光輝度の切り替えの場合と同様、ユーザは、上記のようなメッセージ画像Ｍ３，Ｍ４が表示された後であっても、他に深刻な異常（高温異常等）が併発していない限り、プロジェクタ１の使用を継続することができる。ただし、投写中の光源切れを検出する目的等で、点灯状態の検知を頻繁に行う必要がある場合には、メッセージ画像Ｍ３，Ｍ４が都度重畳されてしまうと、画像の鑑賞が妨げられてしまうことになり得る。このため、プロジェクタ１が起動して光源１１が点灯してから最初にステップＳ１０９，Ｓ１１２を実行するときにのみ、メッセージ画像Ｍ３，Ｍ４を重畳表示させるようにしてもよいし、複数回に１回の割合で、或いは所定時間に１回の割合等でメッセージ画像Ｍ３，Ｍ４を重畳表示させるようにしてもよい。
【００６０】
以上説明したように、本実施形態のプロジェクタ１によれば、以下の効果を得ることができる。
【００６１】
（１）本実施形態のプロジェクタ１によれば、光源駆動部３１の制御に関して、制御部２０は、ＵＡＲＴ通信で行った制御、即ち光源制御部３２を介在させた制御が正常になされなかった場合に、ＧＰＩＯ２０ｄから光源駆動部３１を直接制御するため、ＵＡＲＴ通信に異常が生じた場合や、光源制御部３２が誤動作を起こした場合等でも、光源駆動部３１に正常な動作を行わせることが可能となる。
【００６２】
（２）本実施形態のプロジェクタ１によれば、ＵＡＲＴ通信による制御、即ち制御コマンドに基づく制御が正常になされなかった場合に、ＬＥＤ表示部２３及びメッセージ画像Ｍ１〜Ｍ４によって異常の発生を報知するため、プロジェクタ１に異常が発生したことをユーザに認識させることが可能となる。
【００６３】
（３）本実施形態のプロジェクタ１によれば、光源駆動部３１は、制御部２０により直接制御された場合に、その制御結果（応答情報）を制御部２０に出力するようにしているため、制御部２０は、直接制御が正常になされたか否かを判断することが可能となり、制御結果に応じて異なる動作を行うことが可能となる。なお、本実施形態では、直接制御が正常になされた場合と正常になされなかった場合とで、ＬＥＤ表示部２３の表示状態と、重畳するメッセージ画像Ｍ１〜Ｍ４の内容を変えている。
【００６４】
（４）本実施形態のプロジェクタ１によれば、制御部２０と光源制御部３２との通信がシリアル通信（ＵＡＲＴ通信）であるため、制御部２０と光源制御部３２との間に多数の配線を施すことなく、光源１１に対して様々な制御を行ったり、検出結果等を高精度に取得したりすることが可能となる。
【００６５】
なお、本実施形態では、制御部２０が備えるＵＡＲＴ２０ｃが第１の通信部に相当し、ＧＰＩＯ２０ｄが第２の通信部に相当する。また、ステップＳ１０８，Ｓ１１１で点灯又は点滅するＬＥＤ表示部２３と、メッセージ画像Ｍ１〜Ｍ４を重畳表示する際（ステップＳ１０９，Ｓ１１２）のＯＳＤ処理部２７と、これらの動作を制御する制御部２０が報知部に相当する。
【００６６】
（変形例）
なお、上記実施形態は、以下のように変更してもよい。
【００６７】
上記実施形態では、発光輝度の切り替えと点灯状態の検知の２つの事例について説明したが、上記のフローは、光源駆動部３１の他の動作に適用することも可能である。例えば、光源１１の点灯や消灯についても、通常はＵＡＲＴ通信により光源制御部３２を介在させた制御を行うようにして、正常な制御ができない場合に、ＧＰＩＯ２０ｄから直接制御して光源１１の点灯や消灯を行うようにしてもよい。
【００６８】
上記実施形態では、ＵＡＲＴ通信による制御とＧＰＩＯ２０ｄからの直接制御の双方で正常な動作がなされなかった場合でもプロジェクタ１の動作を継続できるようにしているが、この場合には、光源駆動部３１又は光源１１等に何らかの異常が生じている可能性があるため、その時点で電源をオフ（スタンバイ状態）にしたり、電源をオフにすることをユーザに促す報知を行ったりしてもよい。
【００６９】
上記実施形態では、光源駆動部３１の制御が正常になされなかった場合に、ＬＥＤ表示部２３とメッセージ画像Ｍ１〜Ｍ４の両方でその旨をユーザに報知しているが、いずれか一方のみで報知するようにしてもよい。また、報知するための手段は、ＬＥＤ表示部２３やメッセージ画像Ｍ１〜Ｍ４に限定されず、例えば、音声によって報知する態様とすることもできる。
【００７０】
上記実施形態では、光源駆動部３１は、光源１１が消費する電流や光源１１に印加されている電圧等に基づいて、光源１１の点灯状態（点灯しているか否か）及び発光輝度を検知しているが、光源１１の点灯状態や発光輝度を検知する手段は上記に限定されず、例えば、光センサ等を用いて検知するようにしてもよい。
【００７１】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７２】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７３】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００７４】
【図１】プロジェクタを示す斜視図であり、前方側から見た図。
【図２】プロジェクタを示す斜視図であり、後方側から見た図。
【図３】プロジェクタの回路構成を示すブロック図。
【図４】光源駆動部を制御する際のプロジェクタの動作を説明するフローチャート。
【図５】メッセージ画像を示す図。
【図６】メッセージ画像を示す図。
【図７】メッセージ画像を示す図。
【図８】メッセージ画像を示す図。
【符号の説明】
【００７５】
１…プロジェクタ、２…筐体、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…ＣＰＵ、２０ｂ…ＲＡＭ、２０ｃ…ＵＡＲＴ、２０ｄ…ＧＰＩＯ、２１…記憶部、２２…入力操作部、２３…ＬＥＤ表示部、２４…画像情報入力部、２４ａ…入力端子、２５…入力選択部、２６…画像処理部、２７…ＯＳＤ処理部、２８…電源端子、２９…電源回路、３０…光源駆動装置、３１…光源駆動部、３２…光源制御部、３２ａ…ＣＰＵ、３２ｂ…ＵＡＲＴ、Ｍ１〜Ｍ４…メッセージ画像、Ｓ…投写面。
【図１】
2010134144.tif 000003
【図２】
2010134144.tif 000004
【図３】
2010134144.tif 000005
【図４】
2010134144.tif 000006
【図５】
2010134144.tif 000007
【図６】
2010134144.tif 000008
【図７】
2010134144.tif 000009
【図８】
2010134144.tif 000010